(57)【要約】【課題】標準信号の提供を可能にすべく改善されたアナログビデオ信号からデジタルビデオ信号の作成中の時間軸補正方法を提供すること。【解決手段】  アナログビデオ信号を受信するステップと、ビデオデコーダを用いてアナログビデオ信号からデジタルビデオ信号を作成するステップと、デジタルビデオ信号の少なくとも一部をメモリに記憶するステップと、デジタルビデオ信号中の異常なフィールド順序を有している改ざんデータ部分を検出するステップと、改ざんデータの部分を切り捨てるステップか又は改ざんデータ部分の少なくとも一部をメモリに記憶されている先行データと置き換えるステップと、デジタルビデオ信号を出力するステップが含まれるようにする。【選択図】図２
2006197602.tif 000002
【特許請求の範囲】
【請求項１】
アナログビデオ信号からデジタルビデオ信号作成中の時間軸補正のための方法において、
アナログビデオ信号を受信するステップ（１）と、
ビデオデコーダを用いてアナログビデオ信号からデジタルビデオ信号を作成するステップ（２）と、
デジタルビデオ信号の少なくとも一部をメモリに記憶するステップ（３）と、
デジタルビデオ信号中の異常なフィールド順序を有している改ざんデータ部分を検出するステップ（４）と、
改ざんデータの部分を切り捨てるステップ（５）か又は改ざんデータ部分の少なくとも一部をメモリに記憶されている先行データと置き換えるステップ（６）と、
デジタルビデオ信号を出力するステップ（７）が含まれるようにしたことを特徴とする方法。
【請求項２】
前記デジタルビデオ信号中の改ざんデータ部分を検出するステップ（４）にさらに、可変のフレーム周波数、不完全なライン、不完全なライン数、１ビット及び２ビットビデオタイミング基準コードエラーのうちの少なくとも１つを検出するステップが含まれている、請求項１記載の方法。
【請求項３】
さらに１ビットビデオタイミング基準コードエラーを補正するステップが含まれている、請求項１又は２記載の方法。
【請求項４】
前記改ざんデータの部分を切り捨てるステップ（５）に、異常なフィールド順序のケースにおいて同じタイプの連続するフィールドを切り捨てるステップが含まれている、請求項１から３いずれか１項記載の方法。
【請求項５】
前記改ざんデータの部分を切り捨てるステップ（５）に、過多なデータ値を伴うラインの余分なデータ値を切り捨てるステップが含まれている、請求項２記載の方法。
【請求項６】
前記改ざんデータ部分の少なくとも一部をメモリに記憶されている先行データと置換えるステップ（６）に、欠落しているラインをメモリに記憶されている対応するラインからのデータと置き換えるステップが含まれている、請求項２記載の方法。
【請求項７】
前記改ざんデータ部分の少なくとも一部をメモリに記憶されている先行データと置き換えるステップ（６）に、不完全なラインを伴うフィールド若しくは不完全なライン数を伴うフィールドをメモリに記憶されている先行フィールドと置き換えるステップが含まれている、請求項１又は２記載の方法。
【請求項８】
前記デジタルビデオ信号は、ＩＴＵ６５６規格のデジタルビデオ信号である、請求項１から７いずれか１項記載の方法。
【請求項９】
アナログビデオ信号からデジタルビデオ信号作成中の時間軸補正のための装置（１０）において、
アナログビデオ信号を受信するための入力側（１１）と、
アナログビデオ信号からデジタルビデオ信号を作成するためのビデオデコーダ（１２）と、
デジタルビデオ信号の少なくとも一部を記憶するためのメモリ（１３）と、
デジタルビデオ信号中の改ざんデータ部分を検出するための手段（１４）と、
改ざんデータの部分を切り捨てるため若しくは改ざんデータ部分の少なくとも一部をメモリに記憶されている先行データと置き換えるための手段（１５）と、
デジタルビデオ信号を出力するための出力側（１６）が含まれていることを特徴とする装置。
【請求項１０】
アナログビデオ信号を受信するための入力側と、受信したアナログビデオ信号をデジタル化するための手段を有している、デジタルビデオ信号を受信及び／又は記録するための機器において、
受信したアナログビデオ信号からデジタルビデオ信号作成中の時間軸補正のための請求項１から８いずれか１項記載の方法を実行するための手段を含んでいることを特徴とする機器。
【発明の詳細な説明】
【技術分野】
【０００１】
本発明は、アナログビデオ信号からデジタルビデオ信号作成中の時間軸補正のための方法並びに装置に関している。
【背景技術】
【０００２】
ＨＤＤレコーダやＤＶＤレコーダなどのようなデジタル記憶デバイスは通常は、種々異なる信号源からのアナログオーディオ／ビデオ信号を受信するためのアナログビデオ入力側と、テレビ受像機上でアナログビデオ信号を表示するためのアナログビデオ出力側を有している。ＨＤＤレコーダやＤＶＤレコーダの典型的な処理の流れは次の通りである。すなわち、アナログビデオ入力側→ビデオデコーダ→ＭＰＥＧエンコーダ→ＭＰＥＧデコーダ→ビデオエンコーダ→アナログビデオ出力側。ビデオデコーダによる符号化の後のアナログビデオ信号は、最初に何らかのデジタル処理若しくはデータ圧縮が実行される前に、アナログ／デジタル変換器を用いて、デジタル化される。このデジタル化されたビデオ信号は通常は、ＩＴＵのＲ−６５６標準規格に準拠される。ＭＰＥＧストリームは、例えばＤＶＤやＤＶＨＳテープなどの記録媒体上に記憶される。
【０００３】
ビデオ信号源がＶＣＲや未調整チャネルである場合には、いくつかの問題が生じる。信号源が調整されていないチャネルであるケースの場合には、ビデオデコーダは、ラインの揃っていないフィールドしか提供できないかフィールド毎に不完全なライン数しか提供できない。ビデオ信号源がＶＣＲの場合、及びＶＣＲがクイックフォワード／クイックバックワードなどの特殊操作モードで作動している場合に、フレーム周波数が変化する。つまりフレーム毎のライン数が通常モードの時よりも増減する。その上さらに編集されたテープのケースでは、フィールド周波数が反転する。通常のフィールド順序は、アッパー／ロワー／アッパー／ロワーの順である。異常なフィールド順序は、連続したフィールドが先行のフィールドと同じ場合に生じる（例えばアッパー／ロワー／ロワー／アッパー／ロワーあるいはアッパー／アッパー／ロワー／アッパー／ロワーなど）。ＶＣＲが休止モードや停止モードあるいは２倍速モードにある時には、アッパーフィールドのみか又はロワーフィールドのみが供給される（すなわちアッパー／アッパー／アッパー／…若しくはロワー／ロワー／ロワー／…など）。
【０００４】
前述したような問題のケースでは、ビデオデコーダは、ＩＴＵ−Ｒ  ＢＴ．６５６  ４：２：２フォーマットにて、ＭＰＥＧエンコーダチップに異常なフレームデータを供給する。これによりＭＰＥＧエンコーダチップはチョークされ、同期を失い、画像は不規則となり、場合によってはブロックやフリーズ状態にもなりかねない。
【０００５】
特開平２００２−１０２１７号公報には、非標準信号がＭＰＥＧエンコーダに入力された場合に生じる前述のフリーズやブロックノイズを解消するためのビデオ信号処理装置が開示されている。時間軸補正回路は、入力信号を標準信号に近い形態に変換し、リセット回路はフィールド長にずれがあった場合に読出し同期情報を作成する。フィールド判別回路は、ノンインターレス信号が入力された時にアッパー及びロワー順序を修正している。
【０００６】
米国特許出願 ＵＳ６,７１４,７１７号明細書には、ビデオ信号からのタイムベースエラーを除去するためのタイムベースコレクタが記載されている。この時間軸補正は、延長又は短縮によって達成されており、サブピクセル内の各ビデオラインは、連続したピクセルを補間処理する補間回路を用いることによって増加する。この補間回路は、伸張されたピクセルを適切なサイズまで圧縮し、作成されたピクセルの直前と直後のピクセル部分から新たなピクセルを作成することによって、ライン毎の少なすぎるピクセルを補正している。この補間回路は、ライン毎の過多なピクセルに対しては、入力ピクセルの値を補間技術により適切な数のピクセルに補正している。
【０００７】
別の米国特許出願 ＵＳ４,７６３,２０３号明細書には、本願に最も近い従来技術として挙げられるデジタルタイムベースコレクタが開示されている。このコレクタは、特殊操作モードで動作中のビデオ信号源からの時間軸誤差を補正するものである。このコレクタは、メモリとドロップアウト検出器を有している。ここではドロップアウトが検出されると、ビデオ信号のドロップアウト部分が、先に記憶されている先行記憶値に置換えられる。
【特許文献１】特開平２００２−０１０２１７号公報
【特許文献２】米国特許出願 ＵＳ６,７１４,７１７号明細書
【特許文献３】米国特許出願 ＵＳ４,７６３,２０３号明細書
【非特許文献１】公知文献“Recommendation ITU-R BT. 656-4 : Interfaces for Digital Component Video Signals in 525-Line and 625-Line Television Systems Operating at the 4:2:2 Level of Recommendation ITU-R BT. 601 (Part A)”
【発明の開示】
【発明が解決しようとする課題】
【０００８】
本発明の課題は、従来技術における欠点に鑑みこれを解消すべく改善を行うことであり、標準信号の提供を可能にすべく改善されたアナログビデオ信号からデジタルビデオ信号の作成中の時間軸補正方法を提供することである。
【課題を解決するための手段】
【０００９】
前記課題は本発明により、アナログビデオ信号を受信するステップと、ビデオデコーダを用いてアナログビデオ信号からデジタルビデオ信号を作成するステップと、デジタルビデオ信号の少なくとも一部をメモリに記憶するステップと、デジタルビデオ信号中の異常なフィールド順序を有している改ざんデータ部分を検出するステップと、改ざんデータの部分を切り捨てるステップか又は改ざんデータ部分の少なくとも一部をメモリに記憶されている先行データと置き換えるステップと、デジタルビデオ信号を出力するステップが含まれるようにして解決される。
【００１０】
また前記課題は本発明により、アナログビデオ信号を受信するための入力側と、アナログビデオ信号からデジタルビデオ信号を作成するためのビデオデコーダと、デジタルビデオ信号の少なくとも一部を記憶するためのメモリと、デジタルビデオ信号中の改ざんデータ部分を検出するための手段と、改ざんデータの部分を切り捨てるため若しくは改ざんデータ部分の少なくとも一部をメモリに記憶されている先行データと置き換えるための手段と、デジタルビデオ信号を出力するための出力側が含まれるように構成されて解決される。
【発明を実施するための最良の形態】
【００１１】
そのような時間軸補正のための装置は、フレームレートを安定化させる。すなわちＮＴＳＣ方式に対しては一定の毎秒２９．９７フレームで、そしてＰＡＬ方式に対しては一定の毎秒２５フレームで安定化される。この時間軸補正装置は有利にはＩＴＵ６５６準拠のデジタルビデオ定義域で動作し、不良フィールドの切り捨て、通常でないフィールド順序のシーケンスの検出と補正、可変のフレーム周波数の検出と補正、ビデオタイミング信号中のエラーの検出と補正によって、標準的な汎用グレードのビデオデコーダＩＣｓから受信したひずんだデジタルビデオ信号を補正している。切り捨てられるフィールドは、未完成のラインサンプルを伴った不良フィールド、未完成のライン、２ビットＶＴＲＣ（Video Timing Reference Codes）エラーである。１ビットＶＴＲＣエラーも補正される。この時間軸補正装置は有利には、ＩＴＵ６５６準拠のビデオデコーダ接続用入力インターフェースと、ＩＴＵ６５６準拠の出力インターフェース（これはＭＰＥＧエンコーダの接続に対して完全なＩＴＵ６５６規格のデータストリームを供給する）を有している。ＩＴＵ６５６ストリーム中の全ての補助データは、不変のまま通過する。このようにしてＭＰＥＧエンコーダチップは、完全なＩＴＵ−Ｒ  ＢＴ．６５６  ４：２：２のデータストリーム（これはＭＰＥＧエンコーダの内部処理を簡単にしている）を受信する。本発明は、不完全なフレームデータと受信フィールドによって引き起こされる不所望なチョークや休止／フリーズ状態の問題を解決している。
【００１２】
ＩＴＵ６５６ストリームフォーマットは、公知文献“Recommendation ITU-R BT. 656-4 : Interfaces for Digital Component Video Signals in 525-Line and 625-Line Television Systems Operating at the 4:2:2 Level of Recommendation ITU-R BT. 601 (Part A)”に記載されており、図１に示されている。
【００１３】
時間軸補正装置は、複数の信号ひずみを検出して補正する。すなわち、
１.不良フィールド：ビデオデコーダは、ビデオ信号源が非同調ビデオチャネルである場合に不良フィールドを出力し得る。この非同調ビデオチャネルは、ビデオデコーダにフィールド毎に不完全なラインを伴うフィールド若しくは不完全なライン数のフィールドを供給させるという結果をもたらす。不完全なラインを伴うビデオフィールド若しくはフィールド毎に不完全な数のフィールドは、不良フィールドとして分類される。出現した不良フィールドを補正するために、不良フィールドが少なくとも部分的にメモリからの先行補正フィールドに置き換えられるか若しくは切り捨てられる。
２.異常フィールド順序：ビデオシーケンスの処理中には、フィールドシーケンスが反転し得る。正常なフィールド順序は、アッパー／ロワー／アッパー／ロワーの順である。異常なフィールド順序は、例えば目下のフィールドが先行のフィールドと同じ場合に生じる。例えばアッパー／ロワー／ロワー／アッパー／ロワーか若しくはアッパー／アッパー／ロワー／アッパーなどである。異常フィールド順序は、目下のフィールドの切り捨てか又はそのフィールドタイプの切り換えによって補正される。
３.ビデオタイミング基準コード（ＥＡＶ，ＳＡＶ）におけるエラーの検出：これらのエラーは、Ｖｓｙｎｃ（Ｖ）、Ｈｓｙｎｃ（Ｈ）、あるいはフィールド（Ｆ）におけるエラーの形態で生じ得る。１ビットエラー補正及び２ビットエラー検出は、プロテクションビットの使用によって行われる。ＶＴＲＣコードとプロテクションビットは、以下のテーブル１、
【００１４】
【表１】
2006197602.tif 000003
注１：これらの値は１０ビットインターフェースに対して推奨されるものである
注２：既存の８ビットインターフェースとの互換性に対しては、ビットＤ１とＤ０の値は定められない
Ｆ＝０  フィールド１の間、１  フィールド２の間
Ｖ＝１  フィールドブランキングの間、０  その他
Ｈ＝０  ＳＡＶ、１  ＥＡＶ
Ｐ０，Ｐ１，Ｐ２，Ｐ３：プロテクションビット
ＭＳＢ：最上位ビット、
に示されている。
【００１５】
前記Ｖ及びＦのビットの状態は、以下のフィールドインターバル規定のテーブル、
【００１６】
【表２】
2006197602.tif 000004
に示されている。
【００１７】
プロテクションビットに関しては以下のテーブル、
【００１８】
【表３】
2006197602.tif 000005
に示されている。
【００１９】
指定されない場合には、タイムベースコレクタブロック処理によって引き起こされる６つのフィールド遅延若しくは３つのフレーム遅延が存在する。これらのフィールドないしフレーム遅延は、有利には、Ｉ２Ｃバスを介してプログラミング可能なパラメータである。同様に、タイムベースコレクタブロックは、Ｉ２Ｃバスを介してプログラミングされ得るアクティブｈｉｇｈの信号を使用可能にする。
【００２０】
各フィールドに割り当てられる補助データは、何らかの処理を要しない。不良フィールドが取り消される場合に消失する補助データの再挿入は存在しない。しかしながら補助データの再挿入を伴う別の実行も可能である。
【００２１】
本発明のよりよい理解のために以下の明細書では、図面に基づいて具体的な実施例のいくつかを詳細に説明する。但しここで理解してほしいのは、これらの実施例は本発明の限定を意味するものではないことである。すなわち以下に述べる具体例の他にも、本発明の趣旨を逸脱しない限りは、これらの発明特定事項の種々の組合せや変化例が可能である。
【実施例】
【００２２】
次に本発明を図面に基づき以下の明細書で詳細に説明する。
【００２３】
図２には、本発明による時間軸補正方法が示されている。アナログビデオ信号が受信（ステップ１）された後では、ビデオデコーダによってデジタルビデオ信号がこのアナログビデオ信号から作成される（ステップ２）。デジタルビデオ信号の少なくとも一部は、メモリに記憶される（ステップ３）。次のステップでは、デジタルビデオ信号が改ざんデータの成分に関して検査される（ステップ４）。この改ざんデータの成分は、切り捨てられるか（ステップ５）若しくはメモリ内に記憶されている先行のデータと少なくとも部分的に置き換えられる（ステップ６）。補正されたデジタルビデオ信号は最終的にさらなる処理のために出力される（ステップ７）。
【００２４】
時間軸補正に対する相応の装置１０は、図３に概略的に示されている。入力側１１において受信されたアナログビデオ信号は、デジタルビデオ信号の作成のためにビデオデコーダ１２に供給される。このデジタルビデオ信号の少なくとも一部は、メモリ１３に記憶される。本発明による時間軸補正装置１０は、さらにデジタルビデオ信号中の改ざんデータの部分を検出するための手段１４と、改ざんデータの部分を切り捨てるか若しくは改善データの少なくとも一部をメモリに記憶されている先行データと置き換えるための手段１５を含んでいる。処理されたデジタルビデオ信号は、最終的にさらなる処理のために出力側１６から送出される。
【００２５】
デジタルビデオ信号中の改善データ部分の切捨て若しくは置き換えに対する種々異なる手段は以下で説明する。
【００２６】
図４にはＮＴＳＣ方式（図４ａ）とＰＡＬ方式（図４ｂ）のメモリマッピングが示されている。メモリの各領域の開始アドレスは、アドレス１＃、アドレス２＃のように固定されている。
【００２７】
フレームデータの再編成方法は図５に示されている。これらのフレームデータは、時間軸補正のために再編成されている。ＳＡＶ／ＥＡＶ値に基づいてブランキングラインとノンブランキングラインが検査され、再編成されたフレームデータが相応する記憶領域に記憶されている。目下のＥＡＶデータは、ｂｕｆ＿０にセーブされ、先行のＥＡＶデータはｂｕｆ＿１にセーブされる。
【００２８】
以下ではこの方法をＮＴＳＣモードに基づいて説明する。ＰＡＬモードに対してはラインナンバーのみが変更を必要とするだけである。ステップ２０においてＩＴＵ６５６ストリームデータを受け取った後は、ＥＡＶデータはステップ２１において開始ポイント検出のためにチェックされる。例えばｂｕｆ＿１の値が“Ｆ１”で、ｂｕｆ＿０の値が“Ｂ６”である場合には、アッパーブランキングビデオラインの開始ポイントが検出される。そのことは、ステップ２２において、ラインカウンターが標準値未満である場合に確定される。このことが当てはまらないケースでは、ラインカウンターがステップ２３において“４”にセットされ、データがステップ２４において開始アドレス１＃にてメモリに記憶される。後続するアッパーブランキングビデオラインは、ステップ２４においてアッパーブランキングエリア１に１バイトずつ記憶され、ステップ２５においてラインカウンターは次の開始ポイントがステップ２１で検出されるまで増分される。
【００２９】
後続のブランキングラインが記憶される前は、ステップ２６においてブランキングラインの数値がブランキングラインの標準の数値を超えているか否かが検査される。すなわちラインカウンターの数値が既に“２０”で、ただしｂｕｆ＿０の値がまだ“Ｆ１”であるかどうかが検査される。そのケースにおいては、データがもはやメモリに記憶されない。その代わりに、ステップ２０において次のＥＡＶ遷移に達するまでさらなるデータが受信される。
【００３０】
ステップ２１において次の開始ポイントが検出され、ブランキングラインの数値が標準の数値に満たない場合には、つまりＥＡＶ遷移には達したがまだラインカウンターの値が“２０”に達しない場合には、ステップ２４での目下のブランキングエリアに対する書込みが停止され、ラインカウンターがステップ２３においてｂｕｆ＿１＆ｂｕｆ＿０の値に基づいてセットされ、ステップ２４において後続するデータが相応するメモリエリアに記憶される。消失ラインに対しては、ステップ２７においてアッパーブランキングエリア１の先行の値が維持される。
【００３１】
以上のことをまとめると、ＥＡＶ遷移の到達のもとでは、ラインカウンターとメモリの開始アドレスが相応の値にセットされる。ラインの数値が標準のライン数値よりも大きいか又は小さい場合には、時間軸補正が次のＥＡＶ遷移の到達まで待機させられるか、若しくはｂｕｆ＿１＆ｂｕｆ＿０の値に基づいて新たなメモリエリアにジャンプする。
【００３２】
ＮＴＳＣモードにおいては、アッパーフィールドの終端が、ラインカウンターの値が“２６６”になった時に検出され、ロワーフィールドの終端は、ラインカウンターの値が“４”になった場合に検出される。
【００３３】
同じようにしてＰＡＬモードの場合は、アッパーフィールドの終端が、ラインカウンターの値が“３１３”になった時に検出され、ロワーフィールドの終端は、ラインカウンターの値が“１”になった場合に検出される。
【００３４】
以下のテーブル（表）には、ｂｕｆ＿１＆ｂｕｆ＿０の値に基づいたＮＴＳＣモードにおけるメモリマッピングとＰＡＬモード（テーブル５）におけるメモリマッピングがまとめられている。
【００３５】
【表４】
2006197602.tif 000006
【００３６】
【表５】
2006197602.tif 000007
【００３７】
ＮＴＳＣモードとＰＡＬモードにおける標準のフレーム構造は、以下のテーブルに表されている。
【００３８】
【表６】
2006197602.tif 000008
【００３９】
【表７】
2006197602.tif 000009
【００４０】
フィールドの処理は、ＥＡＶの値に基づいている。ＶＣＲによって引き起こされ得る全ての異常なケースがカバーされる。ＥＡＶ値は以下のようにビデオ信号の異なるラインに関連している。すなわち、
Ｂ６：アッパーブランキングライン
９Ｄ：アッパーノンブランキングライン
Ｆ１：ロワーブランキングライン
ＤＡ：ロワーノンブランキングライン
３つのタイプのＥＡＶシーケンスのみが有効である。これらは図５に示されており、詳細には、図５ａは通常のケースに相応し、図５ｂは、連続するアッパーフィールドのケースに相応し、図５ｃは、連続するロワーフィールドのケースに相応している。その他の全てのシーケンスは無効とみなされる。
【００４１】
フィールドの連続する長いシーケンスのケースと同じように、散発的に反転するフィールドのケースを同時に補正するために、処理装置は、適正なフィールド順序が検出された場合には、最初に、反転されたフィールドの強制的な切り換えを実行して通常のフィールドの順序に戻すようにする。したがって、例えば、“アッパー１／ロワー１／ロワー２／アッパー２／ロワー３”のケースに対して、最初のステップで、“ロワー２”を“アッパー２＃”に切り換え、その結果として“アッパー１／ロワー１／アッパー２＃…”のシーケンスにする。その後でアッパー２をアッパー２＃と置き換える。これにより“アッパー１／ロワー１／アッパー２／ロワー３／…”となる。これは、反転フィールドの発生が終了し、シーケンスが通常の順序に戻されたものとみなされるからである。このケースでは“ロワー２”は切り捨てられる。ただし３つの連続するロワーフィールドが存在する時には、フィールドは切り捨てられない。
【００４２】
フィールド処理をまとめると以下のテーブルのようになる。すなわち、
【００４３】
【表８】
2006197602.tif 000010
【００４４】
前記テーブルにおいては、Ｂｕｆ＿０は、目下のＥＡＶデータをセーブするのに用いられるバッファである。それに対してＢｕｆ＿１は、先行のＥＡＶデータをセーブするのに用いられるバッファである。また、検出された先行フィールドは、先行入力フィールドの状態を表しており、それに対して補正された先行フィールドは、先行フィールドの補正された状態を表している。先行フィールドに対して強制的に切り換えが行われたケースにおいては、補正された先行フィールドの値は、検出された先行フィールドからは異なっている。ラインカウンターは、Ｂｕｆ＿１及びＢｕｆ＿０に基づいて形成されている。その値は、ＥＡＶの到達次に更新され、ＥＡＶの変更の際には再編成される。このラインカウンターは、必ずしも１ずつ増分されるわけではない。値はＢｕｆ＿１とＢｕｆ＿０の値に基づいてジャンプされ得る。これは到来するフィールドラインが標準のフィールドラインと異なっている場合に生じる。ラインカウンターの波には以下のとおりである。
【００４５】
【表９】
2006197602.tif 000011
【００４６】
強制的な切り換えの決定は、Ｂｕｆ＿１及びＢｕｆ＿０と、ラインカウンターの値、検出された先行フィールドの値、補正された先行フィールドの値に由来している。強制的切換え決定の状態が“イエス”ならば、ＳＡＶ／ＥＡＶの“Ｆ”ビットが反転され、ビットＰ０〜Ｐ３が更新される。検出された先行フィールドは、Ｂｕｆ＿１及びＢｕｆ＿０の値とラインカウンターの値に由来する。補正された先行フィールドも、Ｂｕｆ＿１及びＢｕｆ＿０の値とラインカウンターの値に由来する。
【００４７】
ラインサンプルの検出に関連して、水平ラインの標準の数値は、以下のテーブル１０に示されている。その他の全てのケースは、無効とみなされる。
【００４８】
【表１０】
2006197602.tif 000012
不良フィールドは、以下の状況のうちの１つが生じた場合に確定される。すなわち、
２ビットＶＴＲＣエラー
ラインサンプルエラー
無効なＥＡＶシーケンス。
【００４９】
２ビットＶＴＲＣエラーを伴うフィールド若しくは不完全なラインを伴うフィールドであって、多かれ少なかれライン内に異常なサンプルを有するものは、不良フィールドとみなされる。同じように、無効なＥＡＶシーケンスを有し、ラインの数値に不備のあるフィールドも不良フィールドとみなされる。これらの両ケースにおいては、不良フィールドは切り捨てられる。しかしながら有効なＥＡＶシーケンスを有している、不完全なラインの数値を伴うフィールドは、先行フィールドからのデータラインの加算か若しくは余分なデータラインのカッティングによる補正を必要とするが、良好なフィールドとみなされる。
【図面の簡単な説明】
【００５０】
【図１】ＩＴＵ６５６ストリームフォーマットを表した図
【図２】本発明による時間軸補正方法を表わした図
【図３】本発明による時間補正装置を概略的に表したブロック回路図
【図４】ＮＴＳＣ方式とＰＡＬ方式のフレームメモリマッピングを表わした図
【図５】フレームデータの再編成のための方法を概略的に表した図
【図６】連続するアッパー／ロワーフィールド、通常のフィールド順序に対するＥＡＶシーケンスを示した図
【符号の説明】
【００５１】
１０    時間軸補正装置
１１    入力側
１２    ビデオデコーダ
１３    メモリ
１４    検出手段
１５    切り捨てないし置換え手段
１６    出力側
【図２】
2006197602.tif 000013
【図３】
2006197602.tif 000014
【図４】
2006197602.tif 000015
【図５】
2006197602.tif 000016
【図６】
2006197602.tif 000017
【図１】
2006197602.tif 000018